(57)【要約】【課題】少ない枚数のインターロック基板で多くの電気錠の回線を収容すること。【解決手段】一の回線に対応する一のラインの一の選択部が当該一の回線に対して施錠の要求となるように選択された第１のインターロック基板７１Ｂと、一の回線に対応する一のラインの一の選択部が当該一の回線より開扉の検出となり、一の回線に対応する他のラインの他の選択部が当該一の回線に対して施錠の要求となるように選択され、一の回線とは異なる他の回線に対応可能な他のラインの選択部が開扉の検出となるように選択された第２のインターロック基板７１Ｃと、基板７１Ｂの一のラインと基板７１Ｃの一のラインとを接続する配線９０と、基板７１Ｂにおける一の回線よりの開扉の検出を、基板７１Ｃの他のラインの選択部における開扉の検出とするための配線１００とを有する。【選択図】図５
2015190234.tif 000002
【特許請求の範囲】
【請求項１】
電気錠を収容する複数の回線のうち所定の回線より開扉の検出及び所定の回線に対して施錠の要求のうちいずれか一方を設定するための複数のラインを有し、各回線と各ラインとの間に、回線より開扉の検出か、回線に対して施錠の要求かを排他的に選択可能な選択部がそれぞれ設けられ、一の回線に対応する一のラインの一の選択部が当該一の回線に対して施錠の要求となるように選択された第１のインターロック基板と、
電気錠を収容する複数の回線のうち所定の回線より開扉の検出及び所定の回線に対して施錠の要求のうちいずれか一方を設定するための複数のラインを有し、各回線と各ラインとの間に、回線より開扉の検出か、回線に対して施錠の要求かを排他的に選択可能な選択部がそれぞれ設けられ、一の回線に対応する前記一のラインの一の選択部が当該一の回線より開扉の検出となり、一の回線に対応する他のラインの他の選択部が当該一の回線に対して施錠の要求となるように選択され、一の回線とは異なる他の回線に対応可能な前記他のラインの選択部が開扉の検出となるように選択された第２のインターロック基板と、
前記第１のインターロック基板の一のラインと前記第２のインターロック基板の一のラインとを接続する第１の配線と、
前記第１のインターロック基板における前記の一の回線よりの開扉の検出を、前記第２のインターロック基板の前記他のラインの選択部における開扉の検出とするための第２の配線と
を具備するインターロック制御装置。
【請求項２】
請求項１に記載のインターロック制御装置であって、
前記第１のインターロック基板を２枚有し、
２枚の前記第１のインターロック基板の各ライン間を接続する第３の配線
をさらに具備するインターロック制御装置。
【請求項３】
請求項２に記載のインターロック制御装置であって、
前記第１及び第２のインターロック基板は、４回線収容可能であり、８本のラインを有する
インターロック制御装置。
【発明の詳細な説明】
【技術分野】
【０００１】
本発明は、電気錠に用いられるインターロック制御装置に関する。
【背景技術】
【０００２】
電気錠に用いられるインターロック制御とは、例えば２枚の扉が同時に開くことがないように２個の電気錠を制御することをいい、例えばクリーンルームの出入り口や病院の隣接する個室でのトイレの共有の場合に用いられる（非特許文献１参照）。研究所や工場などの施設では、多数の扉に対してインターロック制御が行われる場合もある。例えば、これらの施設においては、１つの扉が開いているときに、他の複数の扉が開くことがないような制御が行われる。
【０００３】
このようなインターロック制御では、例えば各扉の電気錠を制御する操作盤が１つの扉が開いているときに当該扉の電気錠より開扉を検出し、これをトリガーとして、開かないことが要求される扉の電気錠に対して施錠を要求する。
【先行技術文献】
【非特許文献】
【０００４】
【非特許文献１】http://dcs.mediapress-net.com/iportal/CatalogViewInterfaceStartUpAction.do?method=startUp&mode=PAGE&catalogId=3645570000&pageGroupId=1&volumeID=MIW10001&designID=LINK_MIW  ＷｅｂカタログＰ６２１
【発明の概要】
【発明が解決しようとする課題】
【０００５】
上記の操作盤は、例えば４回線（４つの電気錠の回線）を収容するインターロック基板を有する。インターロック基板は、各回線に対して共通の８本のラインを有し、各回線と各ラインとの間には、電気錠よる扉の開扉か、電気錠の施錠かを排他的に選択するための選択部を有する。４回線のそれぞれに対して、１つの回線の「開扉」に対して他の回線を「施錠」とするためには、４本のラインがあれば足りるが、２枚のインターロック基板を用いて、各インターロック基板の各ラインをそれぞれ接続することで、８回線のそれぞれに対して、１つの回線の「開扉」に対して他の回線を「施錠」とすることが相互にできるようにしている。
【０００６】
しかしながら、このような構成のインターロック基板を用いて例えば９回線を収容しようとすると、３枚目のインターロック基板のそれぞれの８本のラインを直列にしただけでは例えば３枚のインターロック基板の回線の「施錠」に対して他のインターロック基板の回線の「開扉」の設定はできるが、そのようにしたときに逆に他のインターロック基板の当該回線の「施錠」に対して３枚のインターロック基板の当該回線の「開扉」の設定はできない。このような「開扉」と「施錠」の関係を相互にできるようにするために、そのためのインターロック基板を少なくともさらに２枚以上用いる必要がある。
【０００７】
以上のような事情に鑑み、本発明の目的は、少ない枚数のインターロック基板で多くの電気錠の回線を収容することができるインターロック制御装置を提供することにある。
【課題を解決するための手段】
【０００８】
上記課題を解決するため本発明に係るインターロック制御装置は、第１及び第２のインターロック基板と、第１及び第２の配線とを有する。
【０００９】
第１のインターロック基板は、電気錠を収容する複数の回線のうち所定の回線より開扉の検出及び所定の回線に対して施錠の要求のうちいずれか一方を設定するための複数のラインを有し、各回線と各ラインとの間に、回線より開扉の検出か、回線に対して施錠の要求かを排他的に選択可能な選択部がそれぞれ設けられ、一の回線に対応する一のラインの一の選択部が当該一の回線に対して施錠の要求となるように選択されている。
【００１０】
第２のインターロック基板は、電気錠を収容する複数の回線のうち所定の回線より開扉の検出及び所定の回線に対して施錠の要求のうちいずれか一方を設定するための複数のラインを有し、各回線と各ラインとの間に、回線より開扉の検出か、回線に対して施錠の要求かを排他的に選択可能な選択部がそれぞれ設けられ、一の回線に対応する前記一のラインの一の選択部が当該一の回線より開扉の検出となり、一の回線に対応する他のラインの他の選択部が当該一の回線に対して施錠の要求となるように選択され、一の回線とは異なる他の回線に対応可能な前記他のラインの選択部が開扉の検出となるように選択されている。
第１の配線は、前記第１のインターロック基板の一のラインと前記第２のインターロック基板の一のラインとを接続する。、
【００１１】
第２の配線は、前記第１のインターロック基板における前記の一の回線よりの開扉の検出を、前記第２のインターロック基板の前記他のラインの選択部における開扉の検出とするためのものである。
【００１２】
本発明の一形態では、前記第１のインターロック基板を２枚有し、２枚の前記第１のインターロック基板の各ライン間を接続する第３の配線をさらに具備する。そして、例えば、前記第１及び第２のインターロック基板は、４回線収容可能であり、８本のラインを有する。
【００１３】
上記発明が解決しようとする課題の例では、９回線目に対しては、３枚のインターロック基板に加えてさらに２枚以上のインターロック基板が必要とされていたのに対して、本発明では、上記構成の配線を用いることで、９回線目に対しては、３枚のインターロック基板（２枚の第１のインターロック基板と１枚の第２のインターロック基板）で対応できるようになる。
【発明の効果】
【００１４】
従って、本発明によれば、少ない枚数のインターロック基板で多くの電気錠の回線を収容することができるようになる。
【図面の簡単な説明】
【００１５】
【図１】本発明の一実施形態に係るインターロック制御システムの構成示す概略図である。
【図２】図１に示した操作盤の構成を示す図である。
【図３】図２に示したＵハーネス及びインターロック基板の構成を示す回路図である。
【図４】回線の増加に伴うインターロック基板の増加を説明するための図である。
【図５】本発明の一実施形態に係るシステムにおける配線例を説明するための図である。
【図６】回線の増加に伴うインターロック基板の増加を説明するための図である。
【図７】本発明の他の実施形態に係るシステムにおける配線例を説明するための図である。
【発明を実施するための形態】
【００１６】
以下、図面を参照しながら、本発明の実施形態を説明する。
図１は本発明の一実施形態に係るインターロック制御システムの構成示す概略図である。
【００１７】
同図に示すように、このシステム１は、各扉１０の電気錠２０に対してインターロック制御を実現するものであり、電気錠２０との間の回線３０−１〜３０−ｎを収容するインターロック制御装置としての操作盤４０を備える。インターロック制御とは、例えば１つの電気錠２０が開扉のときに残りの電気錠２０を施錠し、或いは他の電気錠２０が開扉のときに残りの電気錠２０を施錠するように制御するものである。操作盤４０では、所望とするインターロック制御を設定できるようになっている。
図２は上記操作盤４０の構成を示す図であり、操作盤４０を開蓋し、その正面から見た図である。
【００１８】
同図に示すように、操作盤４０は、第１〜第４の回線３０−１〜３０−４を収容する領域４１Ａと、第５の第８の回線３０−５〜３０−８を収容する領域４１Ｂと、第９の回線３０−９を収容する領域４１Ｃとを有する。
【００１９】
各領域４１Ａ〜４１Ｃは、各回線３０−１〜３０−ｎに接続されるＵハーネス６０と、インターロック基板７１Ａ〜７１Ｃと、各Ｕハーネス６０と各インターロック基板７１Ａ〜７１Ｃとを接続するための配線８０と、インターロック基板７１Ａ〜７１Ｃ間を接続するための配線９０とを有する。
【００２０】
各インターロック基板７１Ａ〜７１Ｃは、配線８０と接続するための並列ハーネス７４と、あらかじめ電源より所定の電圧が印加された８本のライン７５と、並列ハーネス７４と各ライン７５との間に介挿されたリレー７６と、リレー７６と各ライン７５との間にそれぞれ設けられた選択部７７と、各インターロック基板７１Ａ〜７１Ｃの各ライン７５を接続するための並列ハーネス７８とを有する。各選択部７７では、回線３０−１〜３０−ｎに接続された電気錠２０に関して開扉−施錠が排他的に選択できるようになっている。第１〜第４の回線３０−１〜３０−４に対応するインターロック基板７１Ａと第５〜第８の回線３０−５〜３０−８に対応するインターロック基板７１Ｂの８本の各ライン７５はそれぞれ配線９０により直列に接続されている。また、この実施形態では、特に、第５〜第８の回線３０−５〜３０−８に対応するインターロック基板７１Ｂの５番目のライン７５と第９の回線３０−９に対応するインターロック基板７１Ｃの５番目のライン７５とが直列に配線９０により接続されている。
図３はＵハーネス及びインターロック基板の構成を示す回路図である。
【００２１】
同図に示すように、Ｕハーネス６０は、３×３で９個の端子を有する。ここで、それぞれの端子を１番端子〜９番端子と呼ぶ。ここでは、５番端子と６番端子との間が接クローズで電気錠２０が解錠、５番端子と６番端子との間が開放で電気錠２０が施錠となる。並列ハーネス７４は、１×４で４個の端子を有する。これぞれの端子を１番端子〜４番端子と呼ぶ。それぞれ配線８０を介して、Ｕハーネス６０の７番端子が並列ハーネス７４の１番端子、Ｕハーネス６０の５番端子が並列ハーネス７４の２番端子、Ｕハーネス６０の６番端子が並列ハーネス７４の３番端子、Ｕハーネス６０の４番端子が並列ハーネス７４の４番端子に接続されている。ここでは、回線３０−１〜３０−ｎに接続された電気錠２０の扉が開扉するとＵハーネス６０の４番端子がＬｏｗとなり、並列ハーネス７４の４番端子がＬｏｗとなるようにされている。
【００２２】
選択部７７は、第１の短絡端子７７１と、第２の短絡端子７７２と、第３の短絡端子７７３とを有する。選択部７７では、短絡ピン７７４を使って、第１の短絡端子７７１と第２の短絡端子７７２とを短絡させるか、第２の短絡端子７７２と第３の短絡端子７７３とを短絡させるかを排他的に選択できるようになっている。
【００２３】
リレー７６は、入力側が選択部７７における第３の短絡端子７７３にダイオードＤ１を介して接続され、出力側で並列ハーネス７４の２番端子と３番端子との間の解放−クローズの切り替えを行う。すなわち、ライン７５に電流が流れると、ライン７５から第２の短絡端子７７２、短絡ピン７７４、第３の短絡端子７７３を介してリレー７６に電流が流れ、リレー７６がＯＮし、並列ハーネス７４の２番端子と３番端子との間が解放となり、回線３０に接続された電気錠２０が施錠されるようになっている。第１の短絡端子７７１はダイオードＤ２を介して並列ハーネス７４の４番端子に接続されている。並列ハーネス７４の４番端子は、配線８０を介してＵハーネス６０の４番端子に接続されており、このＵハーネス６０の４番端子は接続された回線３０の電気錠２０の扉１０が開扉するとＬｏｗとなるように設定されている。従って、扉１０が開扉すると、第１の短絡端子７７１はＬｏｗとなるようになっている。
【００２４】
ここで、一番目のライン７５において、第１の回線３０−１に対応する選択部７７で第２の短絡端子７７２と第３の短絡端子７７３とが短絡ピン７７４によって短絡され、第２の回線３０−２に対応する選択部７７で第２の短絡端子７７２と第１の短絡端子７７１とが短絡ピン７７４によって短絡されているとする。この状態で、第２の回線３０−２に対応する電気錠２０の扉１０が開扉すると、第２の回線３０における第１の短絡端子７７１がＬｏｗとなり、これに短絡ピン７７４を介して接続された第２の短絡端子７７２がＬｏｗとなり、一番目のライン７５に電流が流れる。これにより、第１の回線３０−１における第２の短絡端子７７２より短絡ピン７７４及び第３の短絡端子７７３を介してリレー７６に電流が流れ、リレー７６がＯＮし、並列ハーネス７４の２番端子と３番端子との間が解放となり、第１の回線３０−１に接続された電気錠２０が施錠される。
【００２５】
すなわち、この場合には、第２の回線３０−２に対応する電気錠２０の扉１０が開扉すると、第１の回線３０−１に対応する電気錠２０が施錠されるという、インターロック制御が行わる。ここで、例えば２番目のライン７５を使って、第１の回線３０−１に対応する電気錠２０の扉１０が開扉すると、第２の回線３０−２に対応する電気錠２０が施錠させるように同じく設定すると、第１の回線３０−１に対応する電気錠２０の扉１０と第２の回線３０−２に対応する電気錠２０の扉１０との間で開扉−施錠の排他的な制御が可能となる。
【００２６】
ここで、図４に示すように、各インターロック基板７１Ａ〜７１Ｃは、ライン７５が８本あるので、例えばこの８本のライン７５を使って第１の回線３０−１〜第８の回線３０−８までの開扉−施錠の排他的な制御が可能であるが、第９の回線３０−９についても開扉−施錠の排他的な制御を行う、例えば第５の回線３０−５と第９の回線３０−９との間で開扉−施錠の排他的な制御を行うためには、８本のライン７５では足りず、もう１本のライン７５が必要となる。そこで、例えば図５に示すように９番目のライン７５を設けるためにインターロック基板を増設することが考えられるが、第５の回線３０−５〜第８の回線３０−８と第９の回線３０−９との間で相互に開扉−施錠の排他的な制御を行うためにさらに２枚のインターロック基板７１Ｄ、７１Ｅの増設が必要となり、更に第１の回線３０−１〜第８の回線３０−８と第９の回線３０−９との間で相互に開扉−施錠の排他的な制御を行うために３枚のインターロック基板７１Ｄ〜７１Ｆの増設が必要となり、すなわち１回線増やすために最大で３枚のインターロック基板７１Ｄ〜７１Ｆの増設、すなわち６枚のインターロック基板７１Ａ〜７１Ｆが必要になってしまう。
【００２７】
本発明の一実施形態に係るシステム１では、図６に示すように、例えば第５の回線３０−１と第９の回線３０−９との間で相互に開扉−施錠の排他的な制御を行う場合に、第９の回線３０−９に対応してインターロック基板７１Ｃを１枚増設し、第１〜第４の回線３０−１〜３０−４に対応するインターロック基板７１Ａと第５〜第８の回線３０−５〜３０−８に対応するインターロック基板７１Ｂの５番目のライン７５と第９の回線３０−９に対応するインターロック基板７５Ｃの５番目のライン７５とを配線９０により直列に接続する。
【００２８】
ここで、５番目のライン７５に対する第９の回線３０−９の選択部７７が「開扉」に対して第５の回線３０−５の選択部７７が「施錠」となるように短絡ピン７７４を設定し、一番目のライン７５に対する第１０の回線用（実際には第１０の回線３０−１０は接続されていない。）の選択部７７が「開扉」に対して第９の回線３０−９の選択部７７が「施錠」となるように短絡ピン７７４を設定する。そして、第５の回線３０−５のＵハーネス６０の４番端子と第１０の回線用（実際には第１０の回線３０−１０は接続されていない。）の並列ハーネス７４の４番端子とを配線１００を介して接続する。
【００２９】
このような構成により、第５の回線３０−５と第９の回線３０−９との間で相互に開扉−施錠の排他的な制御を行うことが可能となる。すなわち、第９の回線３０−９に対応する電気錠２０の扉１０が開扉すると、第９の回線３０−９における５番目のライン７５に対する第２の短絡端子７７２がＬｏｗとなり、５番目のライン７５に電流が流れ、第５の回線３０−５におけるリレー７６に電流が流れ、第５の回線３０−５に接続された電気錠２０が施錠される。一方、第５の回線３０−５に対応する電気錠２０の扉１０が開扉すると、第５の回線３０−５のＵハーネス６０の４番端子と第１０の回線用（実際には第１０の回線３０−１０は接続されていない。）の並列ハーネス７４の４番端子とが配線１００を介して接続されていることから、第１０の回線３０（実際には第１０の回線３０−１０は接続されていない。）における一番目のライン７５に対する第２の短絡端子７７２がＬｏｗとなり、１番目のライン７５に電流が流れ、ここで１番目のライン７５に対する第１０の回線用（実際には第１０の回線３０−１０は接続されていない。）の選択部７７が「開扉」に対して第９の回線３０−９の選択部７７が「施錠」となるように短絡ピン７７４が設定されていることから、第９の回線３０−９におけるリレー７６に電流が流れ、第９の回線３０−９に接続された電気錠２０が施錠される。
【００３０】
このように本実施形態に係るシステム１では、第９の回線３０−９については、インターロック基板７１Ｃを１枚増やし、上記のような配線１００をするだけで対応できる。よって、簡単な構成でより多くの電気錠２０の回線３０−１〜３０−ｎを収容することができる。
【００３１】
ちなみに、更に第１０の回線３０−１０を収容する場合には、図７に示すように、通常は３枚のインターロック基板の増設が必要となり、すなわち６枚のインターロック基板７１Ａ〜７１Ｆが必要になってしまうのに対して、本発明を図８に示すように適用すれば、第９の回線３０−１及び第１０の回線３０−１０については、インターロック基板７１Ｃを１枚増やし、同図のようにな配線１００をするだけで対応できる。
【００３２】
なお、本発明は、上記実施形態には限定されることはなく、本発明の技術的思想の範囲内で適宜変形して実施することができ、その実施の範囲も本発明の技術的範囲に属するものである。
【符号の説明】
【００３３】
１  インターロック制御システム
２０  電気錠
３０−１〜３０−ｎ  回線
４０  インターロック制御装置としての操作盤
６０Ａ〜６０Ｂ  Ｕハーネス
７１Ａ〜７１Ｃ  インターロック基板
７４、７８  並列ハーネス
７５  ライン
７６  リレー
７７  選択部
８０、９０、１００  配線
【図１】
2015190234.tif 000003
【図２】
2015190234.tif 000004
【図３】
2015190234.tif 000005
【図４】
2015190234.tif 000006
【図５】
2015190234.tif 000007
【図６】
2015190234.tif 000008
【図７】
2015190234.tif 000009